(57)【要約】      （修正有）【課題】端末のハンドオーバ処理を行う場合に、ハンドオーバー先のセルを決定するために必要な情報を設定された基地局を提供する。【解決手段】コアネットワークと通信すると同時に他の基地局と通信する基地局において、セルでIoT通信が可能であることを示す情報を含むセルを示す情報をコアネットワークから受信すると共に、他の基地局から、他の基地局のセルでIoT通信が可能であることを示す情報を受信する。【選択図】図１
2019033499.tif 000002
【特許請求の範囲】
【請求項１】
コアネットワークと通信する基地局であって、
前記コアネットワークから、セルを示す情報と、前記セルでIoT通信が可能であることを示す情報を受信する通信部を有する、基地局。
【請求項２】
他の基地局と通信する基地局であって、
前記他の基地局から、前記他の基地局のセルでIoT通信が可能であることを示す情報を受信する通信部を有する、基地局。
【請求項３】
前記通信部は、前記セルを示す情報を受信する、請求項２に記載の基地局。
【発明の詳細な説明】
【技術分野】
【０００１】
本発明は、基地局、無線通信システム、通信方法に関する。
【背景技術】
【０００２】
まず、本発明に関連する、独立した3つの技術について説明する。
（A）3GPP TS（3rd Generation Partnership Project Technical Specification） 36.300 V12.1.0（非特許文献１）には、Energy Savingという機能が規定されている。この機能は、E-UTRAN（Evolved Universal Terrestrial Radio Access Network）のE-UTRAN Node B（以下、eNB）が基本的なカバレッジを提供するセルを構成している環境において、カバレッジ内に設置された別の基地局がアンテナの電源の切り換えを自動的に行う機能である。例えば、カバレッジ内の比較的狭い領域で一時的に大容量のトラフィックが発生した場合、上記の基地局のアンテナの電源をオンしてセルを追加する。これにより、動的に通信容量を追加することができる。このように、アンテナの電源の切り換えを行うセルには、比較的狭い領域で一時的に発生する大容量のトラフィックを収容することが期待されている。このセルは、3GPP TS36.300 V12.1.0（非特許文献１）では、capacity booster cellと呼ばれるものであり、本明細書では、「動的に通信容量を追加するためのセル」と呼ぶ。
（B）理想的ではないバックホール（X2インターフェースなど）で接続される、少なくとも2つのeNBの無線資源を、UEが使用する運用は、dual connectivityと呼ばれる。これは3GPP TR（3GPP Technical Report） 36.842 V12.0.0（非特許文献２）に定義されている。User Equipment（以下、UEと称する）は、Master eNB（以下、MeNBと称する）が構成するMaster Cell Group（以下、MCGと称する）の一部のセル内でMeNBと通信を行う。また、UEは、Secondary eNB（以下、SeNBと称する）が構成するSecondary Cell Group（以下、SCGと称する）の一部のセル内でSeNBと通信を行う。SeNBは付加的なノードであるため、SCGも付加的なものである。
（C）トラフィック増加に対応するために、通信事業者は、LTE（Long Term Evolution）、3G（3rd Generation）、あるいはGSM（Global System for Mobile Communication）の基地局の機能と無線LAN（Local Area Network）基地局の機能との両方を有するeNBを設置する。そして、そのeNBが、LTE、3G、あるいはGSMのセルと無線LANのセルとを同時に構成する。これにより、ネットワークの負荷を低減することが可能である。
【先行技術文献】
【特許文献】
【０００３】
【特許文献１】特表2013-502749号公報
【特許文献２】特開2013-172406号公報
【特許文献３】特開2011-250174号公報
【非特許文献】
【０００４】
【非特許文献１】3GPP TS36.300 V12.1.0
【非特許文献２】3GPP TR36.842 V12.0.0
【非特許文献３】3GPP TS25.484 V11.1.0
【非特許文献４】3GPP TS36.331 V12.1.0
【非特許文献５】3GPP TS25.331 v12.1.0
【非特許文献６】3GPP TS36.413 V12.1.0
【非特許文献７】3GPP TS36.306 V12.0.0
【非特許文献８】3GPP TS37.320 V12.0.0
【非特許文献９】3GPP TR37.822 V1.2.0
【発明の概要】
【発明が解決しようとする課題】
【０００５】
3GPP TS36.300 V12.1.0（非特許文献１）に規定されているAutomatic Neighbour Relation（以下、ANR）とは、以下の動作を、人間の手を介さずにシステムが自動的に実行可能にする機能である。まず、eNBは、隣接セル内で報知されているシステム情報を収集して報告するようUEに指示する。そして、eNBは、UEからの報告に基づいてNeighbour Relation Table（隣接関係テーブル。以下、NRTと称する）を構築する。ここで、隣接セルとは、自セルに隣接する周辺のセルだけに限らず、自セルと包含関係にあるセル（例えば、マクロ基地局のセルと、そのセル内に設置されたフェムト基地局等のセルと、は包含関係にある）も含むものとする。そして、eNBは、このNRTに基づいてハンドオーバ先や再選択先として相応しいセルを決定し、UEに通知する。UTRANにおける同様の機能は3GPP TS25.484 V11.1.0（非特許文献３）に規定されている。ANRは、3GPPにおいては、Self-organizing network（以下、SON）機能の一部とされている。なお、UEが隣接セルの通信品質を測定し、ネットワークに報告することは、特許文献１〜３にも開示されている。
【０００６】
ANRは、3GPP TS36.331 v12.1.0（非特許文献４）や3GPP TS25.331 v12.1.0（非特許文献５）に定義されているセルのシステム情報を活用している。UEは、受信したシステム情報を基に通信品質を測定し、その通信品質やセルＩＤやＴＡＩ(Tracking area ID)といった情報をネットワークに報告する。
【０００７】
しかし、3GPP TS36.331 v12.1.0（非特許文献４）や3GPP TS25.331 v12.1.0（非特許文献５）に定義されているシステム情報だけでは、eNBがUEのハンドオーバ先のセルを決定するのに不十分である場合がある。
【０００８】
そこで、本発明の目的は、上述した課題を解決することができる基地局、無線通信システム、通信方法を提供することにある。
【課題を解決するための手段】
【０００９】
本発明の基地局は、
記憶部と、
処理部と、を有し、
前記記憶部は、隣接関係テーブルを記憶し、
前記処理部は、自セルに隣接する隣接セルを構成する基地局が送信した、該基地局が無線LAN基地局の機能を有するか否かを示す情報要素および該隣接セルが動的に通信容量を追加するためのセルであるか否かを示す情報要素のうちの少なくとも１つの情報要素を含む、該隣接セルのサービス情報を受信し、隣接セルの前記サービス情報を前記隣接関係テーブルに登録する。
【００１０】
本発明の無線通信システムは、
端末と、
複数の基地局と、を有し、
前記複数の基地局の各々は、自セルに隣接する隣接セルを構成する基地局が送信した、該基地局が無線LAN基地局の機能を有するか否かを示す情報要素および該隣接セルが動的に通信容量を追加するためのセルであるか否かを示す情報要素のうちの少なくとも１つの情報要素を含む、該隣接セルのサービス情報を受信し、隣接セルの前記サービス情報を隣接関係テーブルに登録する。
【００１１】
本発明の通信方法は、
基地局による通信方法であって、
自セルに隣接する隣接セルを構成する基地局が送信した、該基地局が無線LAN基地局の機能を有するか否かを示す情報要素および該隣接セルが動的に通信容量を追加するためのセルであるか否かを示す情報要素のうちの少なくとも１つの情報要素を含む、該隣接セルのサービス情報を受信する受信ステップと、
隣接セルの前記サービス情報を隣接関係テーブルに登録する登録ステップと、を有する。
【発明の効果】
【００１２】
本発明によれば、基地局は、端末のハンドオーバ先のセルを決定するのに十分な情報を得ることができるという効果が得られる。
【図面の簡単な説明】
【００１３】
【図１】本実施形態の無線通信システムの全体構成の一例を示す図である。
【図２】図１に示したeNBの構成の一例を示すブロック図である。
【図３】本実施形態の無線通信システムにおける、NRTの構築時の処理シーケンスの一例を示すシーケンス図である。
【図４】本実施形態の無線通信システムにおける、サービス情報の一例を示す図である。
【図５】本実施形態の無線通信システムにおける、ハンドオーバ時の処理シーケンスの一例を示すシーケンス図である。
【図６】本実施形態の無線通信システムのセル配置の一例を示す図である。
【図７】本実施形態の無線通信システムにおけるNRTの一例を示す図である。
【図８】本実施形態の無線通信システムにおける、ハンドオーバ先のセルの決定時の処理フローの一例を示すフロー図である。
【発明を実施するための形態】
【００１４】
以下に、本発明を実施するための形態について図面を参照して説明する。
（１）本実施形態の構成
（１−１）無線通信システムの全体構成
図１は、本実施形態の無線通信システムの全体構成を示す図である。
【００１５】
図１に示すように、本実施形態の無線通信システムは、eNB10-1と、eNB10-2と、UE20と、MME（Mobility Management Entity）30と、を有している。
【００１６】
eNB10-1は、E-UTRANセル11-1を構成する基地局である。
【００１７】
eNB10-2は、E-UTRANセル11-2を構成する基地局である。
【００１８】
UE20は、eNB10-1,10-2と通信を行う端末である。
【００１９】
MME30は、Evolved Packet Core（以下、EPCと称する）を構成する移動管理サーバである。
【００２０】
なお、以下では、eNB10-1,10-2を区別しない場合は、単にeNB10と称す。
【００２１】
また、図１では、説明の便宜のため、eNB10の数を2つとし、UE20の数を1つとしたが、これ以外のeNB10およびUE20が存在しても良い。
（１−２）eNB10の構成
図２は、図１に示したeNB10-1の構成の一例を示すブロック図である。
【００２２】
図２に示すように、eNB10-1は、通信部101と、記憶部102と、処理部103と、を有している。
【００２３】
通信部101は、外部と通信を行う。
【００２４】
記憶部102は、E-UTRANセル11-1に隣接する隣接セルのサービス情報等が登録されるNRT（隣接関係テーブル）等を記憶する。
【００２５】
処理部103は、例えば、以下の処理等を行う。
・E-UTRANセル11-1のサービス情報を、通信部101を介してE-UTRANセル11-1内に報知する処理
・E-UTRANセル11-1に隣接する隣接セルのサービス情報を、通信部101を介して受信する処理
・NRTを構築する処理
・NRTに基づきUE20のハンドオーバ先のセルを決定する処理
・ハンドオーバ先のセルを、通信部101を介してUE20に通知する処理
なお、eNB10-2の構成もeNB10-1と同様である。
（２）本実施形態の動作
以下、本実施形態の無線通信システムの動作について説明する。
（２−１）NRTの構築動作
まず、NRTの構築動作について説明する。
【００２６】
図３は、NRTの構築時の処理シーケンスの一例を示すシーケンス図である。図４は、サービス情報の一例を示す図である。
【００２７】
以下に、図３の各ステップについて説明する。
【００２８】
ステップA1：
eNB10-2の処理部103は、E-UTRANセル11-2内に、図４に示すようなE-UTRANセル11-2のサービス情報を、システム情報として報知している。図４において、下線を付した「capacity-booster-cell-Capable」および「wLAN-Capable」が新たに追加した情報要素である。
【００２９】
「capacity-booster-cell-Capable」は、E-UTRANセル11-2が動的に通信容量を追加するためのセルであるか否かを示す情報要素である。
【００３０】
「wLAN-Capable」は、E-UTRANセル11-2を構成するeNB10-2が無線LAN基地局の機能を有しているか否かを示す情報要素である。
【００３１】
ステップA2：
eNB10-1の処理部103は、UE20に対し、他のセルのサービス情報を報告させるために、他のセルの通信品質の測定要求を送信する。
【００３２】
ステップA3：
UE20は、eNB10-2がE-UTRANセル11-2内で報知しているE-UTRANセル11-2のサービス情報を取得する。
【００３３】
ステップA4：
UE20は、E-UTRANセル11-2のサービス情報を含む測定結果をeNB10-1に報告する。
【００３４】
ステップA5：
eNB10-1の処理部103は、E-UTRANセル21のサービス情報をNRTに追加する。これにより、eNB10-1のNRTには、E-UTRANセル21が隣接セルとして追加されることになる。このとき、UTRANセル21のサービス情報の中の「capacity-booster-cell-Capable」および「wLAN-Capable」の値は、該当する属性値に設定される。
【００３５】
ステップA6：
eNB10-1の処理部103は、ハンドオーバ先のセルの候補として、E-UTRANセル11-2を新たに追加する。すなわち、E-UTRANセル11-2は、次回に測定要求を送信する際には、通信品質を測定する対象となる。そのため、次回に測定要求を受信したUE20は、E-UTRANセル11-2のサービス情報を取得し、これを基にE-UTRANセル11-2の通信品質を測定することになる。
（２−２）ハンドオーバ動作
次に、ハンドオーバ動作について説明する。
【００３６】
図５は、ハンドオーバ時の処理シーケンスの一例を示すシーケンス図である。
【００３７】
以下に、図５の各ステップについて説明する。
【００３８】
ステップB1：
UE20は、E-UTRANセル11-1に接続している状態（RRC_CONNECTED状態）にある。
【００３９】
ステップB2：
eNB10-1の処理部103は、UE20から報告された測定結果を基に、UE20をE-UTRANセル11-1から他のセルへハンドオーバさせる必要があると判断する。
【００４０】
ステップB3：
eNB10-1の処理部103は、NRTに登録された隣接セルのサービス情報を基に、UE20のハンドオーバ先のセルを決定する。
【００４１】
ステップB4：
eNB10-1の処理部103は、ハンドオーバ先のセルをUE20に通知する。ハンドオーバ後、UE20は、ハンドオーバ先のセル内で通信を継続する。
（２−３）ハンドオーバ先のセルの決定動作
次に、図５のステップB3において実施される、ハンドオーバ先のセルの決定動作について詳細に説明する。
【００４２】
図６は、無線通信システムのセル配置の一例を示す図である。
【００４３】
本実施形態の無線通信システムは、図６に示すようなセル配置になっているものとする。また、図５のステップB2のハンドオーバ契機の発生時点において、eNB10-1は、上述したE-UTRANセル11-2以外に、E-UTRANセル11-3〜11-5を隣接セルとしてNRTに登録しているものとする。このときのNRTの一例を図７に示す。
【００４４】
図７は、無線通信システムにおけるNRTの一例を示す図である。
【００４５】
E-UTRANセル11-2〜11-5の「capacity-booster-cell-Capable」および「wLAN-Capable」の値は以下の通りである。
・E-UTRANセル11-2（capacity-booster-cell-Capable=FALSE, wLAN-Capable=TRUE）
・E-UTRANセル11-3（capacity-booster-cell-Capable=TRUE, wLAN-Capable=FALSE）
・E-UTRANセル11-4（capacity-booster-cell-Capable=FALSE, wLAN-Capable=FALSE）
・E-UTRANセル11-5（capacity-booster-cell-Capable=FALSE, wLAN-Capable=FALSE）
また、E-UTRANセル11-5は、マクロ基地局のセルであるとする。また、E-UTRANセル11-1〜11-4は、マクロ基地局のセルよりもセル半径が小さく、ホットスポット対策のために設置されるマイクロ基地局、ピコ基地局、またはフェムト基地局のセルであるとする。
【００４６】
eNB10-1の処理部103は、3GPP TS36.413 V12.1.0（非特許文献６）に規定されているE-RAB Level QoS Parametersの中のQCI IEの値や、UE Aggregate Maximum Bit Rateの中のUE Aggregate Maximum Bit Rate Downlink IEの値およびAggregate Maximum Bit Rate Uplink IEの値を、過去の統計情報と比較する。そして、eNB10-1の処理部103は、その比較結果を基に、UE20が過去に送受信したデータ量を推定する。
【００４７】
さらに、eNB10-1の処理部103は、3GPP TS36.331 V12.1.0（非特許文献４）に規定されているLocation Information elementの中のhorizontalVelocityの値を基に、UE20の移動速度を推定する。
【００４８】
eNB10-1の処理部103は、UE20が過去に送受信したデータ量やUE20の移動速度の他、UE20における無線LAN端末の機能の有無といった加入者情報をも考慮した上で、NRTを基にUE20のハンドオーバ先のセルを決定するというハンドオーバ制御を行う。
【００４９】
図８は、ハンドオーバ先のセルの決定時の判断論理を示した処理フローの一例を示す図である。ただし、この処理フローはあくまで一例であり、通信事業者のポリシーやネットワーク設計のポリシーに応じて異なる判断論理を実装しても良いものとする。以下に、図８の各ステップについて説明する。
【００５０】
ステップC1：
eNB10-1の処理部103は、UE20が低速で移動しているか否かを判断する。例えば、UE20の移動速度が閾値未満である場合、UE20が低速で移動していると判断する。
【００５１】
UE20が低速で移動している場合、ステップC2に進む。
【００５２】
一方、UE20が低速で移動していない（高速で移動している）場合、ステップC7に進む。
【００５３】
ステップC2：
eNB10-1の処理部103は、UE20のユーザーがヘビーユーザーであるか否かを判断する。例えば、UE20が過去に送受信したデータ量（過去の総データ量でも良いし、直近の一定期間内のデータ量でも良い）が閾値以上である場合、UE20のユーザーはヘビーユーザーであると判断する。
【００５４】
UE20のユーザーがヘビーユーザーである場合、ステップC3に進む。
【００５５】
一方、UE20のユーザーがヘビーユーザーでない場合、ステップC6に進む。
【００５６】
ステップC3：
eNB10-1の処理部103は、UE20が無線LAN端末の機能を有しているか否かを判断する。
【００５７】
UE20が無線LAN端末の機能を有している場合、ステップC4に進む。
【００５８】
一方、UE20が無線LAN端末の機能を有していない場合、ステップC5に進む。
【００５９】
ステップC4：
ステップC4に進むのは、UE20が低速で移動し、UE20のユーザーがヘビーユーザーであり、UE20が無線LAN端末の機能を有している場合である。
【００６０】
この場合、eNB10-1の処理部103は、以下のようにして、E-UTRANセル11-2をハンドオーバ先のセルとして選択する。
【００６１】
UE20は低速で移動している。そのため、まず、ホットスポット対策のために設置される、セル半径の小さいマイクロ基地局、ピコ基地局、フェムト基地局のセルであるE-UTRANセル11-2〜11-4を選択する。
【００６２】
また、UE20は無線LAN端末の機能を有している。そのため、続いて、その中から、無線LAN基地局の機能を有しているE-UTRANセル11-2を、最終的にハンドオーバ先のセルとして選択する。
【００６３】
これにより、ヘビーユーザーのUE20を、無線LAN基地局の機能を有しているE-UTRANセル11-2にハンドオーバさせることができるため、マクロ基地局の負荷を低減することができる。
【００６４】
ステップC5：
ステップC5に進むのは、UE20が低速で移動し、UE20のユーザーがヘビーユーザーであり、UE20が無線LAN端末の機能を有していない場合である。
【００６５】
この場合、eNB10-1の処理部103は、以下のようにして、E-UTRANセル11-3をハンドオーバ先のセルとして選択する。
【００６６】
UE20は低速で移動している。そのため、まず、ホットスポット対策のために設置される、セル半径の小さいマイクロ基地局、ピコ基地局、フェムト基地局のセルであるE-UTRANセル11-2〜11-4を選択する。
【００６７】
また、UE20は無線LAN端末の機能を有しておらず、UE20のユーザーはヘビーユーザーである。そのため、続いて、その中から、無線LAN基地局の機能を有しておらず、動的に通信容量を追加するためのセルであるE-UTRANセル11-3を、最終的にハンドオーバ先のセルとして選択する。
【００６８】
これにより、ヘビーユーザーのUE20を、動的に通信容量を追加するためのセルであるE-UTRANセル11-3にハンドオーバさせることができるため、マクロ基地局の負荷を低減することができる。
【００６９】
ステップC6：
ステップC6に進むのは、UE20が低速で移動し、UE20のユーザーがヘビーユーザーではない場合である。
【００７０】
この場合、eNB10-1の処理部103は、以下のようにして、E-UTRANセル11-4をハンドオーバ先のセルとして選択する。
【００７１】
UE20は低速で移動している。そのため、まず、ホットスポット対策のために設置される、セル半径の小さいマイクロ基地局、ピコ基地局、フェムト基地局のセルであるE-UTRANセル11-2〜11-4を選択する。
【００７２】
また、UE20のユーザーはヘビーユーザーではない。そのため、続いて、その中から、無線LAN基地局の機能を有しておらず、動的に通信容量を追加するためのセルではないE-UTRANセル11-4を、最終的にハンドオーバ先のセルとして選択する。
【００７３】
これにより、ヘビーユーザーではない通常ユーザーのUE20を、無線LAN基地局の機能を有しておらず、動的に通信容量を追加するためセルではないE-UTRANセル11-4にハンドオーバさせることができる。
【００７４】
その結果、ヘビーユーザーのUE20を、無線LAN基地局の機能を有しているセルや動的に通信容量を追加するためのセルにハンドオーバさせやすくなるため、マクロ基地局の負荷を低減することができる。
【００７５】
ステップC7：
ステップC7に進むのは、UE20が高速で移動している場合である。
【００７６】
この場合、eNB10-1の処理部103は、以下のようにして、E-UTRANセル11-5をハンドオーバ先のセルとして選択する。
【００７７】
UE20は高速で移動している。そのため、セル半径の大きいマクロ基地局のセルであるE-UTRANセル11-5を、最終的にハンドオーバ先のセルとして選択する。
（３）本実施形態の効果
上述したように、本発明は、3GPP TS36.331 v12.1.0（非特許文献４）や3GPP TS25.331 v12.1.0（非特許文献５）に定義されているシステム情報だけでは、eNBがUEのハンドオーバ先のセルを決定するのに不十分である場合があることを課題としている。
【００７８】
この問題は、eNB10が稠密に配置されている場合に顕著となる。ここでは、マクロ基地局が構成するセル内に、マクロ基地局よりもセル半径が小さなセルを構成するマイクロ基地局、ピコ基地局、フェムト基地局が設置されるHeterogeneous Networkを想定する。
【００７９】
例えば、マクロ基地局のセル内に、ユーザーのトラフィックが集中する領域（ホットスポット）がある場合、その領域で発生する大量のトラフィックをできる限りマクロ基地局に送らないようにする必要がある。そのため、Source eNBは、UEのハンドオーバ先のセルとして、無線LAN基地局の機能を備える基地局のセルか、動的に通信容量を追加するためのセルを選択すべきである。しかし、3GPP TS36.331 v12.1.0（非特許文献４）や3GPP TS25.331 v12.1.0（非特許文献５）に定義されているサービス情報だけでは、隣接セルが、無線LAN基地局の機能を備える基地局のセルか、動的に通信容量を追加するためのセルか、を判断することができない。そのため、大量のトラフィックがマクロ基地局に送られて、マクロ基地局の負荷が増大して多くの利用者のユーザー経験を悪化させてしまうことがある。
【００８０】
上記の問題に対する解決策として、隣接セルが無線LAN基地局の機能を備える基地局のセルか、動的に通信容量を追加するためのセルであるのかという情報（以下、サービス情報）を基地局が利用可能とするという方法が考えられる、しかし、サービス情報を基地局が自動的に取得して処理に反映できない場合、上記のHeterogeneous Networkを構築する通信事業者は、基地局を設置する度に、手動で隣接セルのサービス情報を登録しなければならない。基地局数の増加に伴い通信事業者の作業の工数は増加するため、Operational Expenditure（以下、OPEX）の増加が避けられない。
【００８１】
これに対して本実施形態では、eNB10は、自セルと接続状態にあるUE20を介して、そのUE20が受信した隣接セルのサービス情報（「capacity-booster-cell-Capable」および「wLAN-Capable」という2つの新たな情報要素を追加）を取得してNRTに登録する。
【００８２】
したがって、eNB10は、隣接セルが、無線LAN基地局の機能を備える基地局のセルか、動的に通信容量を追加するためのセルか、というUE20のハンドオーバ先のセルを決定するのに十分な情報を得ることができる。これにより、無線LAN基地局の機能を備える基地局のセルか、動的に通信容量を追加するためのセルに、UE20をハンドオーバさせることができる。
【００８３】
例えば、ホットスポットで発生する、ヘビーユーザーのUE20の大量のトラフィックを、マクロ基地局に送らないようにすることができるため、マクロ基地局の負荷を低減することができる。
【００８４】
また、本実施形態では、eNB10は、自身で隣接セルのサービス情報を取得し、取得した隣接セルのサービス情報をNRTに登録する。
【００８５】
したがって、通信事業者が手動で隣接セルのサービス情報をNRTに登録する必要が無いため、OPEXを低減することができる。
（４）本実施形態の変形例
以上、実施形態を参照して本発明を説明したが、本発明は上記実施形態に限定されるものではない。本発明の構成や詳細には、本発明の範囲内で当業者が理解し得る様々な変更をすることができる。以下に、本実施形態の変形例を示す。
（４−１）上記実施形態では、eNBは、サービス情報に「capacity-booster-cell-Capable」および「wLAN-Capable」という2つの情報要素を追加したが、この2つの情報要素は、必ずしも両方を追加する必要はなく、少なくとも一方を追加すれば良い。この構成でも、UEを、無線LAN基地局の機能を備える基地局のセルまたは動的に通信容量を追加するためのセルにハンドオーバさせることができ、上記実施形態と同様の効果が得られる。
（４−２）上記実施形態では、eNBは、3GPP TS36.306 V12.0.0（非特許文献７）に規定されているUE CategoryからUEの能力を特定していないが、このUE CategoryからUEの能力を特定しても良い。例えば、UE CategoryがCategory 6またはCategory 7のUEのユーザーは、ヘビーユーザーであると判断することが考えられる。
（４−３）上記実施形態では、eNBは、サービス情報に「セルがSCGの一部か否か」を示す情報要素を含めていないが、この情報要素をサービス情報に含めても良い。一般に、SeNBのセルは、MeNBのセルよりもセル半径が小さく、大容量のデータ通信が可能である。そのため、例えば、ヘビーユーザーのUEを優先的にSCGの一部のセルにハンドオーバさせることが考えられる。
（４−４）上記実施形態では、eNBは、サービス情報に「セルでMachine to Machine （以下、M2M）が使用されているか否か」を示す情報要素を含めていないが、この情報要素をサービス情報に含めても良い。例えば、M2Mを使用するUEは、機器などに設置されて一日の内の決まった時間に情報を送信するという特性があり、このようなUEの数が増えるとeNBで輻輳が発生する可能性がある。また、eNBの中には、輻輳を規制する仕組みを備えているものがある。そのため、例えば、M2Mを使用するUEを、輻輳を規制する仕組みを備えるeNBのセルに優先的にハンドオーバさせることが考えられる。
（４−５）上記実施形態のハンドオーバ制御は、E-UTRANのセル間のハンドオーバに適用していた。しかし、上記実施形態のハンドオーバ制御は、E-UTRANのセルと他の無線通信方式（GERAN（GSM EDGE Radio Access Network）, CDMA（Code Division Multiple Access）2000, 無線LAN, WiMAX（Worldwide Interoperability for Microwave Access）等）のセル間のハンドオーバに適用しても良いし、他の同一の無線通信方式のセル間のハンドオーバに適用しても良い。
（４−６）上記実施形態では、eNBは、3GPP TS36.331V12.1.0（非特許文献４）に定義されているSystemInformationBlockType1 message（図４参照）でサービス情報を報知していた。しかし、LTEの無線通信システムで報知される他の情報やLTE以外の方式の無線通信システムで報知されるシステム情報に新たな情報要素を追加しても良い。
（４−７）上記実施形態では、ANRの実施手順において、UEは、新たな情報要素が追加されたサービス情報をeNBに報告した。しかし、サービス情報は、3GPP TS37.320 V12.0.0（非特許文献８）に規定されているMinimization Drive Tests（以下、MDTと称する）という機能でUEから報告される情報に含めても良い。MDTとは、通信事業者が測定器を搭載した自動車で移動しながらセルの通信品質を測定していた業務を、契約者が使用中のUEに代行させて測定結果をeNBに報告させる機能である。MDTによりOPEXの低減が可能になる。
（４−８）上記実施形態では、eNBは、サービス情報に「capacity-booster-cell-Capable」および「wLAN-Capable」という2つの情報要素を追加した。しかし、これら2つの情報要素以外に、UEのユーザーの満足度を向上させられる他の情報要素を追加しても良い。そのような情報要素としては以下が考えられる。
・セルを構成するeNBがRelay Node（中継ノード。以下、RNと称する）であるか否かを示す情報要素（RNはカバレッジが小さいと想定される。そのため、例えば、高速で移動しているUEを、RNのセルにはハンドオーバさせないことが考えられる。これにより、User Experienceの悪化を回避することが可能になる。）
・下りの通信専用のセルであるか否か、または、下り通信を優先するセルであるか否かを示す情報要素（例えば、そのセルへは、データのダウンロードを実行しているUEはハンドオーバさせても良いが、通話中のUEはハンドオーバさせないことが考えられる。）
・3GPP TR37.822 V1.2.0（非特許文献９）に規定されているActive Antenna Systemの機能によって実施されるCell splittingの機能でセルが分離されているか否かを示す情報要素（大量のトラフィックがある領域で永続的にまたは頻繁に発生する場合、セルが分離されうる。そのため、例えば、分離されたセルにヘビーユーザーのUEを優先的にハンドオーバさせることが考えられる。）
（４−９）上記実施形態では、eNBは、UEからの測定報告で隣接セルのサービス情報を取得していた。しかし、隣接セルのサービス情報は、Network Monitoring Modeと呼ばれる周囲の無線環境を計測する機能を用いて、eNB自身で取得しても良い。または、隣接セルのサービス情報は、X2インターフェース、Iurインターフェース、Iurhインターフェース、Iurgインターフェースなどを経由して隣接eNBから受信したメッセージを介して取得したり、3GPP TS36.413 V12.1.0（非特許文献６）に定義されているRAN Information Management（以下、RIMと称する）手順を介して取得したり、O&M（Operation & Maintenance）サーバから取得したりしても良い。
（４−１０）上記実施形態では、LTEのネットワークにおいてRRC_CONNECTED状態になったUEが隣接セルのサービス情報を取得していた。しかし、3GPP TS25.484V11.1.0（非特許文献９）で定義されているように、3GのネットワークにおいてIDLE modeのUEが隣接セルのサービス情報を取得し、これを基地局に報告しても良い。
（４−１１）上記実施形態では、eNBがNRTを管理していたが、複数のeNBを管理する装置が、各eNBのNRTを管理しても良い。
【００８６】
なお、上記の実施形態の一部または全部は、以下の付記のようにも記載されうるが、以下には限られない。
［付記１］
隣接関係テーブルを記憶する記憶部と、
処理部と、を有し、
前記記憶部は、
隣接関係テーブルを記憶し、
前記処理部は、
自セルに隣接する隣接セルを構成する基地局が送信した、該基地局が無線LAN基地局の機能を有するか否かを示す情報要素および該隣接セルが動的に通信容量を追加するためのセルであるか否かを示す情報要素のうちの少なくとも１つの情報要素を含む、該隣接セルのサービス情報を受信し、
隣接セルの前記サービス情報を前記隣接関係テーブルに登録する、基地局。
［付記２］
前記処理部は、
自セル内に、自セルの前記サービス情報を送信する、付記１に記載の基地局。
［付記３］
前記処理部は、
自セルがＳＣＧの一部か否かを示す情報要素を、自セルの前記サービス情報にさらに含める、付記２に記載の基地局。
［付記４］
前記処理部は、
自セルでＭ２Ｍが使用されているか否かを示す情報要素を、自セルの前記サービス情報にさらに含める、付記２または３に記載の基地局。
［付記５］
前記処理部は、
自局が中継ノードであるか否かを示す情報要素を、自セルの前記サービス情報にさらに含める、付記２から４のいずれか１項に記載の基地局。
［付記６］
前記処理部は、
自セルが下りの通信専用のセルであるか否かを示す情報要素、または、自セルが下り通信を優先するセルであるか否かを示す情報要素を、自セルの前記サービス情報にさらに含める、付記２から５のいずれか１項に記載の基地局。
［付記７］
前記処理部は、
自セル内に、自セルの前記サービス情報を報知し、
自セルと接続状態にある端末から、該端末が隣接セルから受信した該隣接セルの前記サービス情報を受信する、付記２から６のいずれか１項に記載の基地局。
［付記８］
前記処理部は、
隣接セルを構成する基地局との間で、所定のインターフェースを介して、自セルの前記サービス情報を送信し、該隣接セルの前記サービス情報を受信する、付記２から６のいずれか１項に記載の基地局。
［付記９］
前記処理部は、
前記隣接関係テーブルに登録された隣接セルの前記サービス情報に基づいて、自セルと接続状態にある端末のハンドオーバ先のセルを決定する、付記２から８のいずれか１項に記載の基地局。
［付記１０］
前記処理部は、
自セルと接続状態にある端末が過去に送受信したデータ量、該端末の移動速度、および該端末が無線LAN端末の機能を有するか否かを示す情報をさらに用いて、該端末のハンドオーバ先のセルを決定する、付記９に記載の基地局。
［付記１１］
端末と、
複数の基地局と、を有し、
前記複数の基地局の各々は、
自セルに隣接する隣接セルを構成する基地局が送信した、該基地局が無線LAN基地局の機能を有するか否かを示す情報要素および該隣接セルが動的に通信容量を追加するためのセルであるか否かを示す情報要素のうちの少なくとも１つの情報要素を含む、該隣接セルのサービス情報を受信し、
隣接セルの前記サービス情報を隣接関係テーブルに登録する、無線通信システム。
［付記１２］
前記複数の基地局の各々は、
自セル内に、自セルの前記サービス情報を送信する、付記１１に記載の無線通信システム。
［付記１３］
前記複数の基地局の各々は、
自セル内に、自セルの前記サービス情報を報知し、
自セルと接続状態にある端末から、該端末が隣接セルから受信した該隣接セルの前記サービス情報を受信する、付記１２に記載の無線通信システム。
［付記１４］
前記複数の基地局の各々は、
前記隣接関係テーブルに登録された隣接セルの前記サービス情報に基づいて、自セルと接続状態にある端末のハンドオーバ先のセルを決定する、付記１２または１３に記載の無線通信システム。
［付記１５］
基地局による通信方法であって、
自セルに隣接する隣接セルを構成する基地局が送信した、該基地局が無線LAN基地局の機能を有するか否かを示す情報要素および該隣接セルが動的に通信容量を追加するためのセルであるか否かを示す情報要素のうちの少なくとも１つの情報要素を含む、該隣接セルのサービス情報を受信する受信ステップと、
隣接セルの前記サービス情報を隣接関係テーブルに登録する登録ステップと、を有する通信方法。
［付記１６］
自セル内に、自セルの前記サービス情報を送信する送信ステップをさらに有する、付記１５に記載の通信方法。
［付記１７］
前記送信ステップでは、
自セル内に、自セルの前記サービス情報を報知し、
前記受信ステップでは、
自セルと接続状態にある端末から、該端末が隣接セルから受信した該隣接セルの前記サービス情報を受信する、付記１６に記載の通信方法。
［付記１８］
前記隣接関係テーブルに登録された隣接セルの前記サービス情報に基づいて、自セルと接続状態にある端末のハンドオーバ先のセルを決定する決定ステップをさらに有する、付記１６または１７に記載の通信方法。
【００８７】
この出願は、２０１４年４月１７日に出願された日本出願特願２０１４−８５２２１を基礎とする優先権を主張し、その開示の全てをここに取り込む。
【図１】
2019033499.tif 000003
【図２】
2019033499.tif 000004
【図３】
2019033499.tif 000005
【図４】
2019033499.tif 000006
【図５】
2019033499.tif 000007
【図６】
2019033499.tif 000008
【図７】
2019033499.tif 000009
【図８】
2019033499.tif 000010